(57)【要約】  【課題】  ＩＳＤＮのＳ／Ｔ点における無線通信を適切に行う。  【解決手段】  ＩＳＤＮの端末のＳ／Ｔインターフェイスに接続され、ＩＳＤＮの網終端装置のＳ／Ｔインターフェイスに接続される網終端装置側接続装置との間で無線通信を行うことにより、端末及び網終端装置をＳ／Ｔ接続する端末側接続装置は、端末から網終端装置へ送信される信号のフレームを検出する端末側フレーム検出部と、端末側フレーム検出部により検出されたフレームにおけるＤチャネルビットを検出するＤチャネルビット検出部と、網終端装置から端末へ送信される信号を、網終端装置側接続装置から受信し、端末へ送信する端末側送信部と、端末側送信部により端末へ送信されるＤチャネルエコービットに、Ｄチャネルビットを挿入するＤチャネルエコービット挿入部とを備える。【選択図】  図３
2004242282.tif 000002
【特許請求の範囲】
【請求項１】
ＩＳＤＮの端末のＳ／Ｔインターフェイスに接続され、ＩＳＤＮの網終端装置のＳ／Ｔインターフェイスに接続される網終端装置側接続装置との間で無線通信を行うことにより、端末及び網終端装置をＳ／Ｔ接続する端末側接続装置であって、
前記端末から前記網終端装置へ送信される信号のフレームを検出する端末側フレーム検出部と、
前記端末側フレーム検出部により検出された前記フレームにおけるＤチャネルビットを検出するＤチャネルビット検出部と、
前記網終端装置から前記端末へ送信される信号を、前記網終端装置側接続装置から受信し、前記端末へ送信する端末側送信部と、
前記端末側送信部により前記端末へ送信されるＤチャネルエコービットに、前記Ｄチャネルビットを挿入するＤチャネルエコービット挿入部と
を備えることを特徴とする端末側接続装置。
【請求項２】
前記Ｄチャネルエコービット挿入部は、前記Ｄチャネルビットが検出された後に、前記端末側送信部により初めて前記端末へ送信されるＤチャネルエコービットに、前記Ｄチャネルビットを挿入することを特徴とする請求項１記載の端末側接続装置。
【請求項３】
ＩＳＤＮの端末に接続された端末側網終端装置のＵインターフェイスに接続され、Ｕインターフェイスの信号を、Ｓ／Ｔインターフェイスの信号に変換して出力すると共に、入力されたＳ／Ｔインターフェイスの信号を、Ｕインターフェイスの信号に変換して前記端末側網終端装置に送信するＳ／Ｔ−Ｕ間変換部を更に備え、
前記端末側フレーム検出部は、前記Ｓ／Ｔ−Ｕ変換部が出力した信号のフレームを検出し、
前記Ｄチャネルビット検出部は、前記端末側フレーム検出部により検出された前記フレームにおけるＤチャネルビットを検出し、
前記端末側送信部は、前記網終端装置側接続装置から受信した信号を、前記Ｓ／Ｔ−Ｕ変換部へ送信し、
前記Ｄチャネルエコービット挿入部は、前記端末側送信部が前記Ｓ／Ｔ−Ｕ変換部に送信するＤチャネルエコービットに、前記Ｄチャネルビットを挿入する
請求項１記載の端末側接続装置。
【請求項４】
ＩＳＤＮの網終端装置のＳ／Ｔインターフェイスに接続され、ＩＳＤＮの端末のＳ／Ｔインターフェイスに接続される端末側接続装置との間で無線通信を行うことにより、端末及び網終端装置をＳ／Ｔ接続する網終端装置側接続装置であって、
前記網終端装置から前記端末へ送信される信号のフレームを検出する網終端装置側フレーム検出部と、
前記網終端装置に送信する信号のフレームの位相を、前記網終端装置側フレーム検出部により検出されたフレームに応じて調整する位相調整部と
を備えることを特徴とする網終端装置側接続装置。
【発明の詳細な説明】
【技術分野】
【０００１】
本発明は、端末側接続装置及び網終端装置側接続装置に関する。特に本発明は、ＩＳＤＮにおける無線通信を実現する端末側接続装置及び網終端装置側接続装置に関する。
【背景技術】
【０００２】
従来、ＩＳＤＮのＳ／Ｔ点において、無線通信を行うシステムが提案されている（特許文献１参照。）。
【特許文献１】特開平８−４６６１４号公報
【発明の開示】
【発明が解決しようとする課題】
【０００３】
ＩＳＤＮの標準仕様によると、複数の端末間における通信の競合制御等を行うために、端末から網終端装置に送信されるＤチャネルビットの値を、網終端装置から端末に送信されるＤチャネルエコービットに挿入して返信する。データを送信した端末は、Ｄチャネルエコービットを参照して、他の端末と競合していないことを確認する。しかしながら、Ｓ／Ｔ点を単に無線通信にしてしまうと、通信の遅延等により、Ｄチャネルビットの値がＤチャネルエコービットにただちに反映されない場合がある。この場合、端末は、Ｄチャネルが競合状態にあるとして、通信を開始できない。
そこで本発明は、上記の課題を解決することのできる端末側接続装置及び網終端装置側接続装置を提供することを目的とする。この目的は特許請求の範囲における独立項に記載の特徴の組み合わせにより達成される。また従属項は本発明の更なる有利な具体例を規定する。
【課題を解決するための手段】
【０００４】
即ち、本発明の第１の形態によると、ＩＳＤＮの端末のＳ／Ｔインターフェイスに接続され、ＩＳＤＮの網終端装置のＳ／Ｔインターフェイスに接続される網終端装置側接続装置との間で無線通信を行うことにより、端末及び網終端装置をＳ／Ｔ接続する端末側接続装置であって、端末から網終端装置へ送信される信号のフレームを検出する端末側フレーム検出部と、端末側フレーム検出部により検出されたフレームにおけるＤチャネルビットを検出するＤチャネルビット検出部と、網終端装置から端末へ送信される信号を、網終端装置側接続装置から受信し、端末へ送信する端末側送信部と、端末側送信部により端末へ送信されるＤチャネルエコービットに、Ｄチャネルビットを挿入するＤチャネルエコービット挿入部とを備えることを特徴とする端末側接続装置を提供する。
Ｄチャネルエコービット挿入部は、Ｄチャネルビットが検出された後に、端末側送信部により初めて端末へ送信されるＤチャネルエコービットに、Ｄチャネルビットを挿入してもよい。
【０００５】
また、ＩＳＤＮの端末に接続された端末側網終端装置のＵインターフェイスに接続され、Ｕインターフェイスの信号を、Ｓ／Ｔインターフェイスの信号に変換して出力すると共に、入力されたＳ／Ｔインターフェイスの信号を、Ｕインターフェイスの信号に変換して端末側網終端装置に送信するＳ／Ｔ−Ｕ間変換部を更に備え、端末側フレーム検出部は、Ｓ／Ｔ−Ｕ変換部が出力した信号のフレームを検出し、Ｄチャネルビット検出部は、端末側フレーム検出部により検出されたフレームにおけるＤチャネルビットを検出し、端末側送信部は、網終端装置側接続装置から受信した信号を、Ｓ／Ｔ−Ｕ変換部へ送信し、Ｄチャネルエコービット挿入部は、端末側送信部がＳ／Ｔ−Ｕ変換部に送信するＤチャネルエコービットに、Ｄチャネルビットを挿入してもよい。
【０００６】
本発明の第２の形態によると、ＩＳＤＮの網終端装置のＳ／Ｔインターフェイスに接続され、ＩＳＤＮの端末のＳ／Ｔインターフェイスに接続される端末側接続装置との間で無線通信を行うことにより、端末及び網終端装置をＳ／Ｔ接続する網終端装置側接続装置であって、網終端装置から端末へ送信される信号のフレームを検出する網終端装置側フレーム検出部と、網終端装置に送信する信号のフレームの位相を、網終端装置側フレーム検出部により検出されたフレームに応じて調整する位相調整部とを備えることを特徴とする網終端装置側接続装置を提供する。
【０００７】
なお、上記の発明の概要は、本発明の必要な特徴の全てを列挙したものではなく、これらの特徴群のサブコンビネーションもまた、発明となりうる。
【発明の効果】
【０００８】
以上の説明から明らかなように、本発明によれば、ＩＳＤＮのＳ／Ｔ点における無線通信を適切に行うことができる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、通信システム１０の機能ブロック図を示す。通信システム１０は、ＩＳＤＮの端末１００と、ＩＳＤＮの網終端装置１３０とを、Ｓ／Ｔ点において、無線通信により接続することを目的とする。通信システム１０は、端末１００と、端末側接続装置１１０と、網終端装置側接続装置１２０と、網終端装置１３０とを備える。
【００１１】
端末１００は、終端抵抗１０５を介して端末側接続装置１１０と接続される。端末側接続装置１１０は、終端抵抗１０５を介して端末１００のＳ／Ｔインターフェイスに接続される。そして、端末側接続装置１１０は、無線機１１５を用いて、網終端装置側接続装置１２０と無線通信を行う。網終端装置側接続装置１２０は、終端抵抗１２５を介して網終端装置１３０のＳ／Ｔインターフェイスに接続される。そして、網終端装置側接続装置１２０は、無線機１１８を用いて、端末側接続装置１１０と無線通信を行う。網終端装置１３０は、終端抵抗１２５を介して網終端装置側接続装置１２０と接続される。そして、網終端装置１３０は、ＩＳＤＮ網１４０と接続される。
【００１２】
図２は、ＩＳＤＮにおける端末１００及び網終端装置１３０間のデータのフレーム構造を示し、図２（ａ）は、網終端装置１３０から端末１００に送信されるデータのフレーム構造を示す。網終端装置１３０は、Ｄチャネルビットと、直流平衡ビット（Ｌ）と、フレーミングビット（Ｆ）と、データ（Ｂチャネル）と、Ｄチャネルエコービット（Ｅ）と、Ｄチャネルビットと、途中を一部省略して、データ（Ｂチャネル）と、Ｄチャネルエコービット（Ｅ）と、Ｄチャネルビットと、直流平衡ビット（Ｌ）とを順次端末１００に送信する。この際、網終端装置１３０は、フレーミングビット（Ｆ）から最後の直流平衡ビット（Ｌ）までを、４８ビットの１フレームとして端末１００に送信する。
【００１３】
図２（ｂ）は、端末１００から網終端装置１３０に送信されるデータのフレーム構造を示す。端末１００は、Ｄチャネルビットと、直流平衡ビット（Ｌ）と、フレーミングビット（Ｆ）と、データ（Ｂチャネル）と、途中を一部省略して、Ｄチャネルビットと、直流平衡ビット（Ｌ）と、データ（Ｂチャネル）と、直流平衡ビット（Ｌ）と、Ｄチャネルビットと、直流平衡ビット（Ｌ）とを順次網終端装置１３０に送信する。この際、端末１００は、フレーミングビット（Ｆ）から最後の直流平衡ビット（Ｌ）までを、４８ビットの１フレームとして網終端装置１３０に送信する。
【００１４】
本図を用いて、端末１００及び網終端装置１３０間における、Ｄチャネルビットを用いた競合制御について説明する。ＩＳＤＮの標準仕様によると、一の網終端装置１３０に対して、複数の端末１００を共通のバスにより接続することができる。この場合、何れか１つの端末１００のみが網終端装置１３０と通信可能であるので、複数の端末１００間で競合制御を行う必要がある。
【００１５】
例えば、端末１００は、網終端装置１３０に送信すべきデータを有しない場合に、Ｄチャネルビットを１としている。そして、端末１００は、網終端装置１３０に送信すべきデータを有する場合に、Ｄチャネルビットを０にする。これを受けて、網終端装置１３０は、Ｄチャネルエコービット（Ｅ）を０として端末１００に返信する（例えば、図２（ｂ）から図２（ａ）への矢印）。端末１００は、送信したＤチャネルビットの内容が、返信されるＤチャネルエコービット（Ｅ）の内容と同一である場合には、網終端装置１３０と通信可能であると判断できる。一方、端末１００は、送信したＤチャネルビットの内容が、返信されるＤチャネルエコービット（Ｅ）の内容と相違する場合には、他の端末が網終端装置１３０と通信中であると判断する。
【００１６】
このように、適切に通信を開始するためには、網終端装置１３０は、図２（ａ）に示したＤチャネルエコービット（Ｅ）に、図２(ｂ)に示したＤチャネルビットの値を挿入する必要がある。また、図２（ａ）及び図２（ｂ）に示すように、端末１００が網終端装置１３０に送信するフレームの位相は、網終端装置１３０が端末１００に送信するフレームの位相に比べて、２ビット相違する必要がある。しかしながら、端末１００及び網終端装置１３０間を単に無線通信させてしまうと、無線通信によるデータの遅延等の原因により、本図で示したようなフレームの位相の相違や、Ｄチャネルエコービットへの値の挿入を実現できない場合がある。この場合、ＩＳＤＮの標準規格に基づいて製造された端末１００及び網終端装置１３０は、適切な通信を行うことができない。例えば、実験によると、端末１００及び網終端装置１３０間における、適切な通信を行うために許容される遅延量は、３０ｕｓ（ＩＳＤＮデータ５ビット分）である。一方、無線通信による遅延量は、数ｍｓ程度の場合がある。そこで、端末側接続装置１１０及び網終端装置側接続装置１２０は、本図で示したＩＳＤＮのフレーム構造を満たすべく、端末１００及び網終端装置１３０間の通信の調整を行う必要がある。
【００１７】
図３は、端末側接続装置１１０の機能ブロック図を示す。端末側接続装置１１０は、端末側インターフェイス部３００と、ＡＮＤゲート３０５と、クロック抽出部３１０と、端末側フレーム検出部３２０と、フレーム検出部３３０と、ＡＮＤゲート３３５と、フレーム再組立部３４０とを有する。端末側インターフェイス部３００は、端末１００から網終端装置１３０へ送信される信号を終端抵抗１０５から受け取る。また、端末側インターフェイス部３００は、フレーム再組立部３４０から受けた信号を終端抵抗１０５に送る。より詳しくは、端末側インターフェイス部３００は、終端抵抗１０５から受けたＡＭＩ（Ａｌｔｅｒｎａｔｉｏｎ  ｍａｒｋ  Ｉｎｖｅｒｓｉｏｎ）信号を、それぞれがＡＭＩ信号の＋及び−を示す２つのＴＴＬ（Ｔｒａｎｓｉｓｔｏｒ−Ｔｒａｎｓｉｓｔｏｒ  Ｌｏｇｉｃ）信号にレベル変換し、ＡＮＤゲート３０５、クロック抽出部３１０、及び端末側フレーム検出部３２０に出力する。より具体的には、端末側インターフェイス部３００は、プラスのＡＭＩ信号を受け取った場合に、（＋）のＴＴＬ信号を１とし、マイナスのＡＭＩ信号を受け取った場合に、（−）のＴＴＬ信号を１とする。また、端末側インターフェイス部３００は、フレーム再組立部３４０から受け取ったＴＴＬ信号をＡＭＩ信号にレベル変換し、終端抵抗１０５に送る。
【００１８】
ＡＮＤゲート３０５は、受け取った（＋）及び（−）の信号の論理積を、無線機１１８及びフレーム再組立部３４０に出力する。なお、本図におけるＴＴＬ信号は負論理であるので、ＡＮＤゲート３０５は、（＋）又は（−）の信号の少なくとも一方が１である場合に１を出力する。クロック抽出部３１０は、端末側インターフェイス部３００から信号を受け取り、クロックを抽出し、抽出した当該クロックをフレーム再組立部３４０に送る。端末側フレーム検出部３２０は、端末１００から網終端装置１３０へ送信される信号を、端末側インターフェイス部３００から受け取り、当該信号のフレームを検出する。端末側フレーム検出部３２０は、検出したフレームの情報をフレーム再組立部３４０に通知する。フレーム検出部３３０は、無線機１１８から受け取った信号のフレームを検出し、検出した当該フレームの情報をフレーム再組立部３４０に通知する。なお、フレーム検出部３３０は、必要に応じて、無線機１１８から受け取った信号のクロックを抽出してもよい。ＡＮＤゲート３３５は、（＋）を示すＴＴＬ信号及び（−）を示すＴＴＬ信号を無線機１１８から受け取り、これらの信号の論理積をＮＲＺ（Ｎｏｎ  Ｒｅｔｕｒｎ  ｔｏ  Ｚｅｒｏ）信号としてＤチャネルエコービット挿入部３６０に出力する。
【００１９】
フレーム再組立部３４０は、Ｄチャネルビット検出部３５０と、Ｄチャネルエコービット挿入部３６０と、端末側送信部３７０とを有する。Ｄチャネルビット検出部３５０は、クロック抽出部３１０から受け取ったクロックと、端末側フレーム検出部３２０により検出されたフレームの情報とに基づき、当該フレームにおけるＤチャネルビットの値を検出し、Ｄチャネルエコービット挿入部３６０に送る。Ｄチャネルエコービット挿入部３６０は、フレーム検出部３３０により検出されたフレームの情報に基づき、ＡＮＤゲート３３５から受け取った信号のＤチャネルエコービットを特定する。そして、Ｄチャネルエコービット挿入部３６０は、Ｄチャネルビット検出部３５０から受け取ったＤチャネルビットの値を、Ｄチャネルエコービットに挿入し、端末側送信部３７０に送る。
【００２０】
端末側送信部３７０は、受け取った信号を端末側インターフェイス部３００を介して端末１００に送る。即ち、Ｄチャネルエコービット挿入部３６０は、Ｄチャネルビットが検出された後に、端末側送信部３７０により初めて端末１００へ送信されるＤチャネルエコービットに、Ｄチャネルビット検出部３５０から受け取ったＤチャネルビットの値を挿入する。更に、フレーム再組立部３４０は、ＩＳＤＮ物理インターフェイスの規格に従い、バイオレーション処理、ＦＡビット処理、Ｎビット処理、及びＬビット処理を行ってもよい。
【００２１】
このように、端末側接続装置１１０は、端末１００から網終端装置１３０へ送信される信号からＤチャネルビットを検出し、網終端装置１３０から端末１００へ送信されるＤチャネルエコービットに挿入することができる。従って、端末１００は、無線通信による遅延の影響を受けずに、送信したＤチャネルビットの値をただちに受信することができる。ただし、複数の端末１００が網終端装置１３０に接続されている場合には、端末側接続装置１１０は、競合の有無に関わらずＤチャネルビットの値をＤチャネルエコービットに挿入するので、競合制御を適切に行わせることが出来ない。従って、本実施形態に示す端末側接続装置１１０によると、単一の端末１００は、単一の網終端装置１３０と無線通信を適切に行うことができる。なお、これに代えて、ＩＳＤＮ網１４０からの接続を予めマルチプレクスすることにより、複数の網終端装置１３０のそれぞれと、複数の端末１００のそれぞれとを無線通信させてもよい。
【００２２】
図４は、網終端装置側接続装置１２０の機能ブロック図を示す。網終端装置側接続装置１２０は、網終端装置側インターフェイス部４００と、クロック抽出部４１０と、網終端装置側フレーム検出部４２０と、フレーム再組立部４３０と、フレーム検出部４４０と、位相調整部４５０とを有する。網終端装置側インターフェイス部４００は、網終端装置１３０から端末１００へ送信される信号を終端抵抗１２５から受け取る。また、網終端装置側インターフェイス部４００は、位相調整部４５０から受けた信号を終端抵抗１２５に送る。より詳しくは、網終端装置側インターフェイス部４００は、終端抵抗１２５から受け取ったＡＭＩ信号を、それぞれが＋及び−を示す２つのＴＴＬ信号にレベル変換し、無線機１１５、クロック抽出部４１０、及び網終端装置側フレーム検出部４２０に送る。一方、網終端装置側インターフェイス部４００は、位相調整部４５０から受け取ったＴＴＬ信号をＡＭＩ信号にレベル変換し、終端抵抗１２５に送る。
【００２３】
クロック抽出部４１０は、網終端装置側インターフェイス部４００から受け取った信号からクロックを抽出し、網終端装置側フレーム検出部４２０に送る。網終端装置側フレーム検出部４２０は、網終端装置側インターフェイス部４００から受け取った信号のフレームを、クロック抽出部４１０から受け取ったクロックに基づいて検出し、位相調整部４５０に送る。フレーム再組立部４３０は、無線機１１５から受け取ったＮＲＺ信号を、それぞれが（＋）及び（−）を示す２つのＴＴＬ信号に変換し、位相調整部４５０に送る。この際、フレーム再組立部４３０は、フレーム検出部４４０を用いてフレームを検出させてもよい。更に、フレーム再組立部４３０は、無線機１１５から受けた信号に対して、バイオレーション処理及びＬビット処理を行ってもよい。
【００２４】
フレーム検出部４４０は、フレーム再組立部４３０から受け取った信号のフレームを検出し、検出した当該フレームの情報をフレーム再組立部４３０に送る。位相調整部４５０は、フレーム再組立部４３０から受け取った信号のフレームを、フレーム検出部４４０から受け取ったフレームの情報に応じて特定する。そして、位相調整部４５０は、フレーム再組立部４３０から受け取った信号のフレームの位相を、網終端装置側フレーム検出部４２０により検出されたフレームに応じて調整する。例えば、位相調整部４５０は、フレーム再組立部４３０から受け取った信号の位相を、網終端装置側フレーム検出部４２０から受け取ったフレームの位相より２ビット分早めるように遅延させる。そして、位相調整部４５０は、調整した信号を網終端装置側インターフェイス部４００を介して網終端装置１３０に送る。
【００２５】
上記説明から明らかなように、本実施形態の通信システム１０によれば、ＩＳＤＮのＳ／Ｔ点における無線通信を適切に行うことができる。特に、無線通信による遅延が大きい場合、例えば、１０ｍｓ程度である場合においても、通信システム１０は、適切に通信を行うことができる。
【００２６】
図５は、変形例における通信システム１０の機能ブロック図を示す。通信システム１０は、端末１００と、終端抵抗１０５を介して端末１００に接続する端末側網終端装置１０８と、端末側網終端装置１０８のＵ点インターフェイスに接続するＵ点無線通信システム５０と、Ｕ点無線通信システム５０のＵ点インターフェイスに接続するＩＳＤＮ網１４０とを備える。本例における通信システム１０は、端末側網終端装置１０８及びＩＳＤＮ網１４０間のＩＳＤＮのＵ点を、Ｕ点無線通信システム５０により無線通信させることを目的とする。
【００２７】
Ｕ点無線通信システム５０は、端末側接続装置１１０と、無線機１１５と、無線機１１８と、網終端装置側接続装置１２０と、網終端装置１３０とを有する。端末側接続装置１１０は、端末側網終端装置１０８のＵインターフェイスに接続される。そして、端末側接続装置１１０は、無線機１１５を用いて、網終端装置側接続装置１２０と無線通信を行う。網終端装置側接続装置１２０は、終端抵抗１２５を介して網終端装置１３０のＳ／Ｔインターフェイスに接続される。そして、網終端装置側接続装置１２０は、無線機１１８を用いて端末側接続装置１１０と無線通信を行う。網終端装置１３０は、終端抵抗１２５を介して網終端装置側接続装置１２０と接続される。また、網終端装置１３０は、ＩＳＤＮ網１４０とＵインターフェイスにおいて接続される。
【００２８】
図６は、変形例における端末側接続装置１１０の機能ブロック図を示す。なお、本例において、端末側接続装置１１０以外の各部材は、図１から図４で説明した同一符号の各部材と略同一の構成をとるので、説明を省略する。本例における端末側接続装置１１０は、図３に示す端末側接続装置１１０の各部材に加えて、更にＳ／Ｔ−Ｕ変換部３８０を有する。他の構成は、図３に示す端末側接続装置１１０と略同一であるので、相違点を説明する。
【００２９】
Ｓ／Ｔ−Ｕ変換部３８０は、ＩＳＤＮの端末１００に接続された端末側網終端装置１０８のＵインターフェイスに接続される。そして、Ｓ／Ｔ−Ｕ変換部３８０は、Ｕインターフェイスの信号を、Ｓ／Ｔインターフェイスの信号に変換して、端末側インターフェイス部３００に出力する。また、Ｓ／Ｔ−Ｕ変換部３８０は、端末側インターフェイス部３００から入力されたＳ／Ｔインターフェイスの信号を、Ｕインターフェイスの信号に変換して端末側網終端装置１０８に送信する。
【００３０】
端末側フレーム検出部３２０は、Ｓ／Ｔ−Ｕ変換部３８０が出力した信号を、端末側インターフェイス部３００を介して受け取り、その信号のフレームを検出する。Ｄチャネルビット検出部３５０は、端末側フレーム検出部３２０により検出されたフレームにおけるＤチャネルビットを検出する。端末側送信部３７０は、網終端装置側接続装置１２０から無線機１１８、１１５を介して受信した信号を、端末側インターフェイス部３００を介してＳ／Ｔ−Ｕ変換部３８０に送信する。この際、Ｄチャネルエコービット挿入部３６０は、端末側送信部３７０がＳ／Ｔ−Ｕ変換部３８０に送信するＤチャネルエコービットに、Ｄチャネルビット検出部３５０により検出されたＤチャネルビットを挿入する。
【００３１】
図７は、Ｓ／Ｔ−Ｕ変換部３８０の機能ブロック図を示す。図８は、ＩＳＤＮのＵ点で送受信されるデータのフレーム構造を示す。Ｓ／Ｔ−Ｕ変換部３８０は、終端部７００と、ヘッダ部デコード部７１０と、バッファ部７２０と、Ｓ／Ｔ点フレーミング部７３０と、終端部７４０と、バッファ部７５０と、ヘッダ部エンコード部７６０と、Ｕ点フレーミング部７７０とを有する。
【００３２】
終端部７００は、ＩＳＤＮのＵ点における信号を端末側網終端装置１０８から受信して、受信した信号のＤチャネル及びＢチャネルの信号線を終端する。そして、終端部７００は、図８に示した信号のうち、データ部分のスロット１からスロット２０までの信号のそれぞれから、Ｂチャネル及びＤチャネルのデータを取得して、バッファ部７２０に格納する。
【００３３】
ヘッダ部デコード部７１０は、ＩＳＤＮのＵ点における信号を端末側網終端装置１０８から受信して、受信した信号のうち、データのヘッダ部分を選択して取得する。そして、ヘッダ部デコード部７１０は、ヘッダ部分に基づいて所定の処理を行う。例えば、ヘッダ部分は、それぞれが８ビットのデータであるフレームワード及びＣＬチャネルを含んでおり、ＣＬチャネルは、更に、信号の誤りを検出・訂正するためのＣＲＣ（Ｃｙｃｌｉｃ  Ｒｅｄｕｎｄａｎｃｙ  Ｃｈｅｃｋ  Ｃｏｄｅ）を含んでいてもよい。この場合、ヘッダ部デコード部７１０は、ＣＲＣを用いて、バッファ部７２０に格納されたＤチャネル及びＢチャネルのデータの誤りを訂正し、訂正結果をバッファ部７２０に格納する処理を行ってもよい。
【００３４】
バッファ部７２０は、終端部７００が受信したＤチャネル及びＢチャネルのデータを格納する。そして、Ｓ／Ｔ点フレーミング部７３０は、バッファ部７２０に格納されたＤチャネル及びＢチャネルのデータを、ＩＳＤＮのＳ／Ｔ点における信号のフレーム構造（例えば図２に示したフレーム構造）に準拠した信号として、端末側インターフェイス部３００に出力する。
【００３５】
終端部７４０は、ＩＳＤＮのＳ／Ｔ点における信号を端末側インターフェイス部３００から受信して、受信した信号のＤチャネル及びＢチャネルの信号線を終端する。そして、バッファ部７５０は、終端部７４０が受信したＤチャネル及びＢチャネルのデータを格納する。ヘッダ部エンコード部７６０は、ＩＳＤＮのＵ点における信号のヘッダ部分を生成する。具体的には、ヘッダ部エンコード部７６０は、ヘッダ部分のＣＬチャネル内の信号として、信号の誤りを検出・訂正するためのＣＲＣを、バッファ部７５０に格納されたＤチャネル及びＢチャネルのデータに基づいて生成してもよい。
【００３６】
Ｕ点フレーミング部７７０は、バッファ部７２０に格納されたＤチャネル及びＢチャネルのデータと、ヘッダ部エンコード部７６０により生成されたヘッダ部分とを、図８に示すＩＳＤＮのＵ点における信号のフレーム構造に準拠するタイミングで、端末側網終端装置１０８に出力する。例えば、Ｕ点フレーミング部７７０は、ヘッダ部分、Ｄチャネルの信号、Ｂチャネルの信号、及びこれらのパリティを、３７７ビットのデータとして、１．１７８ｍｓの期間に出力する。
【００３７】
上記説明から明らかなように、本変形例の通信システム１０によれば、ＩＳＤＮのＳ／Ｔ点の無線通信機能を利用して、通信遅延が本来ほどんど認められていないＩＳＤＮのＵ点で、適切に無線通信させることができる。具体的には、ＩＳＤＮのＵインターフェイスにおいて有線通信が行われている既存の設備について、この有線部分をＵ点無線通信システム５０に置き換えることにより、無線通信を実現できる。この際、端末１００、終端抵抗１０５、及び端末側網終端装置１０８がこの順に接続されている設備をそのまま利用できるので、既存設備との親和性が高い。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３９】
【図１】図１は、通信システム１０の機能ブロック図。
【図２】図２は、ＩＳＤＮにおける端末１００及び網終端装置１３０間のデータのフレーム構造を示す図。
【図３】図３は、端末側接続装置１１０の機能ブロック図。
【図４】図４は、網終端装置側接続装置１２０の機能ブロック図。
【図５】図５は、変形例における通信システム１０の機能ブロック図。
【図６】図６は、変形例における端末側接続装置１１０の機能ブロック図。
【図７】図７は、Ｓ／Ｔ−Ｕ変換部３８０の機能ブロック図。
【図８】図８は、ＩＳＤＮのＵ点で送受信されるデータのフレーム構造を示す図。
【符号の説明】
【００４０】
１０  通信システム
５０  Ｕ点無線通信システム
１００  端末
１０５  終端抵抗
１０８  端末側網終端装置
１１０  端末側接続装置
１１５  無線機
１１８  無線機
１２０  網終端装置側接続装置
１２５  終端抵抗
１３０  網終端装置
１４０  ＩＳＤＮ網
３００  端末側インターフェイス部
３０５  ＡＮＤゲート
３１０  クロック抽出部
３２０  端末側フレーム検出部
３３０  フレーム検出部
３３５  ＡＮＤゲート
３４０  フレーム再組立部
３５０  Ｄチャネルビット検出部
３６０  Ｄチャネルエコービット挿入部
３７０  端末側送信部
３８０  Ｓ／Ｔ−Ｕ変換部
４００  網終端装置側インターフェイス部
４１０  クロック抽出部
４２０  網終端装置側フレーム検出部
４３０  フレーム再組立部
４４０  フレーム検出部
４５０  位相調整部
７００  終端部
７１０  ヘッダ部デコード部
７２０  バッファ部
７３０  Ｓ／Ｔ点フレーミング部
７４０  終端部
７５０  バッファ部
７６０  ヘッダ部エンコード部
７７０  Ｕ点フレーミング部
【図１】
2004242282.tif 000003
【図２】
2004242282.tif 000004
【図３】
2004242282.tif 000005
【図４】
2004242282.tif 000006
【図５】
2004242282.tif 000007
【図６】
2004242282.tif 000008
【図７】
2004242282.tif 000009
【図８】
2004242282.tif 000010